(57)【要約】【課題】引き出しの状態を自動で判別する。【解決手段】第１の発信部１０１は、キャビネット本体に対して引き出し可能に設けられた引き出しに設置され、第１の電波を発信する。受信部１０３は、引き出しがキャビネット本体に収納された収納状態であるときに第１の電波を受信し、引き出しがキャビネット本体に収納されていない非収納状態であるときに第１の電波を受信しないようにキャビネット本体に設置される。判別部１０４は、受信部１０３により第１の電波が受信された場合、引き出しが収納状態であると判別し、受信部１０３により第１の電波が受信されない場合、引き出しが非収納状態であると判別する。【選択図】図８
2018043838.tif 000002
【特許請求の範囲】
【請求項１】
キャビネット本体に対して引き出し可能に設けられた引き出しに設置され、第１の電波を発信する第１の無線タグと、
前記引き出しが前記キャビネット本体に収納された収納状態であるときに前記第１の電波を受信し、前記引き出しが前記キャビネット本体に収納されていない非収納状態であるときに前記第１の電波を受信しないように前記キャビネット本体に設置されるアンテナと、
前記アンテナにより前記第１の電波が受信された場合、前記引き出しが前記収納状態であると判別し、前記アンテナにより前記第１の電波が受信されない場合、前記引き出しが前記非収納状態であると判別する判別手段と、を備える、
状態判別システム。
【請求項２】
前記第１の電波には、前記引き出しを識別するための第１の識別情報が含まれ、
物品に設置され、前記物品を識別するための第２の識別情報を含む第２の電波を発信する第２の無線タグを更に備え、
前記アンテナは、前記引き出しが前記物品を収納し前記収納状態であるときに前記第１の電波と前記第２の電波とを受信し、前記引き出しが前記物品を収納し前記非収納状態であるときに前記第１の電波と前記第２の電波とを受信しないように前記キャビネット本体に設置され、
前記判別手段は、前記アンテナにより前記第２の電波が受信された場合、前記物品が前記キャビネット本体に収納されていると判別し、前記アンテナにより前記第２の電波が受信されない場合、前記物品が前記キャビネット本体に収納されていないと判別する、
請求項１に記載の状態判別システム。
【請求項３】
前記引き出しは、前記キャビネット本体に対して複数個設けられ、
前記複数個の引き出しのそれぞれに、前記第１の無線タグが設置され、
前記複数個の引き出しのうち第１の引き出しが前記非収納状態から前記収納状態に変化した時刻と、前記物品が前記キャビネット本体に収納されていない状態から前記キャビネット本体に収納された状態に変化した時刻との時刻差が、第１の時間閾値以下である場合、前記第１の引き出しに対応する前記第１の識別情報と、前記第２の識別情報と、を対応付けて記憶する記憶手段を更に備える、
請求項２に記載の状態判別システム。
【請求項４】
前記キャビネット本体には、鍵により前記引き出しを施錠状態又は解錠状態にするための錠が設けられ、
前記第１の無線タグは、電力供給用の電波を受信したことに応答して、前記第１の電波を発信するパッシブタグであり、
前記アンテナから前記電力供給用の電波を発信させ、前記アンテナに前記第１の電波を受信させるリーダと、
前記引き出しが前記解錠状態にあるときに前記リーダに前記アンテナから前記電力供給用の電波を発信させ、前記引き出しが前記施錠状態にあるときに前記リーダに前記アンテナから前記電力供給用の電波を発信させない制御手段と、を更に備える、
請求項１から３の何れか１項に記載の状態判別システム。
【請求項５】
前記引き出しが第２の時間閾値以上前記非収納状態である場合、前記引き出しが閉め忘れられている旨を報知する報知手段を更に備える、
請求項１から４の何れか１項に記載の状態判別システム。
【請求項６】
前記アンテナは、開孔を有する第１のシート状導体と、第２のシート状導体と、を備え、前記アンテナの内部を伝搬する電波が前記開孔から浸出することにより前記第１のシート状導体の近傍に浸出領域を形成するシート状のアンテナであり、
前記アンテナは、前記キャビネット本体を構成する側壁のうち前記引き出しが引き出される方向と直交する壁面を有する側壁に、前記アンテナの広がり方向が前記壁面と平行になるように設置され、
前記第１の無線タグは、前記引き出しが前記収納状態であるときに前記浸出領域の内部に配置され、前記引き出しが前記非収納状態であるときに前記浸出領域の外部に配置されるように、前記引き出しに設置される、
請求項１から５の何れか１項に記載の状態判別システム。
【請求項７】
前記引き出しが前記収納状態であるときに前記第１の無線タグから前記アンテナに向かう前記第１の電波を遮断せず、前記引き出しが前記非収納状態であるときに前記第１の無線タグから前記アンテナに向かう前記第１の電波を遮断する導体板を更に備える、
請求項１から６の何れか１項に記載の状態判別システム。
【請求項８】
キャビネット本体に対して引き出し可能に設けられた引き出しに、第１の電波を発信する第１の無線タグを設置し、
前記引き出しが前記キャビネット本体に収納された収納状態であるときに前記第１の電波を受信し、前記引き出しが前記キャビネット本体に収納されていない非収納状態であるときに前記第１の電波を受信しないように前記キャビネット本体にアンテナを設置し、
前記アンテナにより前記第１の電波が受信された場合、前記引き出しが前記収納状態であると判別し、前記アンテナにより前記第１の電波が受信されない場合、前記引き出しが前記非収納状態であると判別する、
状態判別方法。
【発明の詳細な説明】
【技術分野】
【０００１】
本発明は、状態判別システム及び状態判別方法に関する。
【背景技術】
【０００２】
現在、ＲＦＩＤ（Radio Frequency IDentification）タグを用いて、管理対象の物品を管理する種々の技術が知られている。例えば、特許文献１には、管理対象の物品にＩＣタグを付し、この物品を収納するキャビネットに設置されたアンテナがＩＣタグから物品の情報を読み取る技術が開示されている。
【０００３】
特許文献１に開示された技術では、引き出し（可動収納部）に設置された第１の結合コイルとキャビネット本体（什器本体）に設置された第２の結合コイルとが電磁結合することにより、アンテナによる情報の読み取りが可能となる。
【先行技術文献】
【特許文献】
【０００４】
【特許文献１】特開２００６−６９７３１号公報
【発明の概要】
【発明が解決しようとする課題】
【０００５】
ところで、引き出しがキャビネット本体から引き出された状態が長時間継続することは、安全性や安定性の観点から好ましくない。このため、引き出しが引き出された状態が維持された場合、ユーザが引き出しをキャビネット本体に収納することを促すことが好適である。ここで、引き出しが引き出された状態が維持されたことを自動で検知するためには、引き出しの状態を自動で判別する必要がある。しかしながら、特許文献１に開示された技術では、引き出しの状態を自動で判別することはできない。このため、引き出しの状態を自動で判別する技術が望まれている。
【０００６】
本発明は、上記問題に鑑みてなされたものであり、引き出しの状態を自動で判別する状態判別システム等を提供することを目的とする。
【課題を解決するための手段】
【０００７】
上記目的を達成するために、本発明の第１の観点に係る状態判別システムは、
キャビネット本体に対して引き出し可能に設けられた引き出しに設置され、第１の電波を発信する第１の無線タグと、
前記引き出しが前記キャビネット本体に収納された収納状態であるときに前記第１の電波を受信し、前記引き出しが前記キャビネット本体に収納されていない非収納状態であるときに前記第１の電波を受信しないように前記キャビネット本体に設置されるアンテナと、
前記アンテナにより前記第１の電波が受信された場合、前記引き出しが前記収納状態であると判別し、前記アンテナにより前記第１の電波が受信されない場合、前記引き出しが前記非収納状態であると判別する判別手段と、を備える。
【０００８】
前記第１の電波には、前記引き出しを識別するための第１の識別情報が含まれ、
物品に設置され、前記物品を識別するための第２の識別情報を含む第２の電波を発信する第２の無線タグを更に備え、
前記アンテナは、前記引き出しが前記物品を収納し前記収納状態であるときに前記第１の電波と前記第２の電波とを受信し、前記引き出しが前記物品を収納し前記非収納状態であるときに前記第１の電波と前記第２の電波とを受信しないように前記キャビネット本体に設置され、
前記判別手段は、前記アンテナにより前記第２の電波が受信された場合、前記物品が前記キャビネット本体に収納されていると判別し、前記アンテナにより前記第２の電波が受信されない場合、前記物品が前記キャビネット本体に収納されていないと判別してもよい。
【０００９】
前記引き出しは、前記キャビネット本体に対して複数個設けられ、
前記複数個の引き出しのそれぞれに、前記第１の無線タグが設置され、
前記複数個の引き出しのうち第１の引き出しが前記非収納状態から前記収納状態に変化した時刻と、前記物品が前記キャビネット本体に収納されていない状態から前記キャビネット本体に収納された状態に変化した時刻との時刻差が、第１の時間閾値以下である場合、前記第１の引き出しに対応する前記第１の識別情報と、前記第２の識別情報と、を対応付けて記憶する記憶手段を更に備えてもよい。
【００１０】
前記キャビネット本体には、鍵により前記引き出しを施錠状態又は解錠状態にするための錠が設けられ、
前記第１の無線タグは、電力供給用の電波を受信したことに応答して、前記第１の電波を発信するパッシブタグであり、
前記アンテナから前記電力供給用の電波を発信させ、前記アンテナに前記第１の電波を受信させるリーダと、
前記引き出しが前記解錠状態にあるときに前記リーダに前記アンテナから前記電力供給用の電波を発信させ、前記引き出しが前記施錠状態にあるときに前記リーダに前記アンテナから前記電力供給用の電波を発信させない制御手段と、を更に備えてもよい。
【００１１】
前記引き出しが第２の時間閾値以上前記非収納状態である場合、前記引き出しが閉め忘れられている旨を報知する報知手段を更に備えてもよい。
【００１２】
前記アンテナは、開孔を有する第１のシート状導体と、第２のシート状導体と、を備え、前記アンテナの内部を伝搬する電波が前記開孔から浸出することにより前記第１のシート状導体の近傍に浸出領域を形成するシート状のアンテナであり、
前記アンテナは、前記キャビネット本体を構成する側壁のうち前記引き出しが引き出される方向と直交する壁面を有する側壁に、前記アンテナの広がり方向が前記壁面と平行になるように設置され、
前記第１の無線タグは、前記引き出しが前記収納状態であるときに前記浸出領域の内部に配置され、前記引き出しが前記非収納状態であるときに前記浸出領域の外部に配置されるように、前記引き出しに設置されてもよい。
【００１３】
前記引き出しが前記収納状態であるときに前記第１の無線タグから前記アンテナに向かう前記第１の電波を遮断せず、前記引き出しが前記非収納状態であるときに前記第１の無線タグから前記アンテナに向かう前記第１の電波を遮断する導体板を更に備えてもよい。
【００１４】
上記目的を達成するために、本発明の第２の観点に係る状態判別方法は、
キャビネット本体に対して引き出し可能に設けられた引き出しに、第１の電波を発信する第１の無線タグを設置し、
前記引き出しが前記キャビネット本体に収納された収納状態であるときに前記第１の電波を受信し、前記引き出しが前記キャビネット本体に収納されていない非収納状態であるときに前記第１の電波を受信しないように前記キャビネット本体にアンテナを設置し、
前記アンテナにより前記第１の電波が受信された場合、前記引き出しが前記収納状態であると判別し、前記アンテナにより前記第１の電波が受信されない場合、前記引き出しが前記非収納状態であると判別する。
【発明の効果】
【００１５】
本発明によれば、引き出しの状態を自動で判別することができる。
【図面の簡単な説明】
【００１６】
【図１】本発明の実施形態に係る状態判別システムの構成図
【図２】本発明の実施形態に係る処理装置の構成図
【図３】本発明の実施形態に係る管理サーバの構成図
【図４】アンテナの平面図
【図５】図４のＡ−Ａ線における断面図
【図６】キャビネットの斜視図
【図７】キャビネットの側面図
【図８】本発明の実施形態に係る状態判別システムの機能構成図
【図９】本発明の実施形態に係る処理装置が実行する物品管理処理を示すフローチャート
【図１０】引き出し管理情報を示す図
【図１１】物品管理情報を示す図
【図１２】対応関係情報を示す図
【図１３】変形例１に係るキャビネットの動作を説明するための図であり、（Ａ）は、引き出しが収納状態にあるときのキャビネットの側面図、（Ｂ）は、引き出しが非収納状態にあるときのキャビネットの側面図
【図１４】変形例２に係るキャビネットの動作を説明するための図であり、（Ａ）は、施錠状態にあるときのキャビネットの側面図、（Ｂ）は、解錠状態にあるときのキャビネットの側面図
【発明を実施するための形態】
【００１７】
以下、本発明の実施形態について、図面を参照して説明する。なお、図中において、同一又は対応する部分には、同一の符号を付す。
【００１８】
（実施形態）
図１は、本発明の実施形態に係る状態判別システム１０００の構成図である。なお、図１に示すキャビネット４００の構成については、図６と図７とに詳細に示している。状態判別システム１０００は、キャビネット４００が備える引き出し４１０、４２０、４３０、４４０、４５０の状態を判別するシステムである。引き出し４１０、４２０、４３０、４４０、４５０の状態としては、キャビネット本体４０１に収納された状態（以下「収納状態」という。）と、キャビネット本体４０１から引き出され、キャビネット本体４０１に収納されていない状態（以下「非収納状態」という。）と、がある。なお、本実施形態では、引き出し４１０、４２０、４３０、４４０、４５０に共通する説明については、引き出し４１０を例にして説明する。
【００１９】
また、状態判別システム１０００は、キャビネット４００（キャビネット４００が備える引き出し４１０、４２０、４３０、４４０、４５０）に収納される物品５１０、５２０の状態を判別するシステムである。物品５１０、５２０の状態としては、キャビネット４００に収納された状態（以下「収納状態」という。）と、キャビネット４００に収納されていない状態（以下「非収納状態」という。）と、がある。また、状態判別システム１０００は、物品５１０、５２０が収納状態にあるとき、引き出し４１０、４２０、４３０、４４０、４５０のいずれに収納されているのかも判別する。つまり、状態判別システム１０００は、物品５１０、５２０の所在を判別するシステムでもある。従って、状態判別システム１０００は、物品５１０、５２０を管理する物品管理システムでもあり、管理者が物品５１０、５２０を管理するための物品管理支援システムでもある。なお、本実施形態では、物品５１０、５２０に共通する説明については、物品５１０を例にして説明する。
【００２０】
図１、図６、図７などに示すように、状態判別システム１０００は、処理装置１００と、管理サーバ２００と、読取装置３００と、アンテナ３１０と、第１の無線タグ４１１、４２１、４３１、４４１、４５１と、第２の無線タグ５１１、５２１と、を備える。処理装置１００と管理サーバ２００とは、通信ネットワーク６００を介して相互に接続される。アンテナ３１０は、キャビネット本体４０１に設置される。第１の無線タグ４１１、４２１、４３１、４４１、４５１は、それぞれ、引き出し４１０、４２０、４３０、４４０、４５０に設置される。第２の無線タグ５１１、５２１は、それぞれ、物品５１０、５２０に設置される。また、物品５１０、５２０は、それぞれ、引き出し４１０、４２０に収納されているものとする。
【００２１】
処理装置１００は、読取装置３００から受信した情報に基づいて、物品管理処理を実行する。物品管理処理は、物品５１０、５２０の所在を判別したり、物品５１０、５２０の所在を明示したりする処理である。処理装置１００は、通信ネットワーク６００を介して処理装置１００と接続された管理サーバ２００に記憶された各種の情報を参照しながら、物品管理処理を実行する。処理装置１００は、例えば、ノートパソコン、タブレット端末、スマートフォンなどの端末装置である。以下、図２を参照して、処理装置１００の構成について説明する。
【００２２】
図２に示すように、処理装置１００は、ＣＰＵ（Central Processing Unit）１１、ＲＯＭ（Read Only Memory）１２、ＲＡＭ（Random Access Memory）１３、フラッシュメモリ１４、ＲＴＣ（Real Time Clock）１５、タッチスクリーン１６、第１通信インターフェース１７、第２通信インターフェース１８を備える。処理装置１００が備える各構成要素は、バスを介して相互に接続される。
【００２３】
ＣＰＵ１１は、処理装置１００の全体の動作を制御する。なお、ＣＰＵ１１は、ＲＯＭ１２に格納されているプログラムに従って動作し、ＲＡＭ１３をワークエリアとして使用する。ＲＯＭ１２には、処理装置１００の全体の動作を制御するためのプログラムやデータが記憶される。ＲＡＭ１３は、ＣＰＵ１１のワークエリアとして機能する。つまり、ＣＰＵ１１は、ＲＡＭ１３にプログラムやデータを一時的に書き込み、これらのプログラムやデータを適宜参照する。
【００２４】
フラッシュメモリ１４は、各種の情報を記憶する不揮発性メモリである。ＲＴＣ１５は、計時用のデバイスである。ＲＴＣ１５は、例えば、電池を内蔵し、処理装置１００の電源がオフの間も計時を継続する。ＲＴＣ１５は、例えば、水晶発振子を備える発振回路を備える。タッチスクリーン１６は、ユーザによりなされたタッチ操作を検知し、検知の結果を示す信号をＣＰＵ１１に供給する。また、タッチスクリーン１６は、ＣＰＵ１１から供給された画像信号に基づく画像を表示する。このように、タッチスクリーン１６は、処理装置１００のユーザインターフェースとして機能する。
【００２５】
第１通信インターフェース１７は、処理装置１００を、通信ネットワーク６００に接続するためのインターフェースである。処理装置１００は、通信ネットワーク６００を介して通信ネットワーク６００に接続された管理サーバ２００と通信する。第１通信インターフェース１７は、例えば、ＬＡＮ（Local Area Network）インターフェース（例えば、ＮＩＣ（Network Interface Card））を備える。
【００２６】
第２通信インターフェース１８は、処理装置１００を、読取装置３００と接続するためのインターフェースである。第２通信インターフェース１８は、図示しない通信ケーブルを介して、読取装置３００に接続される。第２通信インターフェース１８は、ＬＡＮインターフェースを備えていてもよいし、ＵＳＢ（Universal Serial Bus）やＲＳ−２３２（Recommended Standard 232）に準拠したインターフェースを備えていてもよい。
【００２７】
管理サーバ２００は、通信ネットワーク６００を介して、処理装置１００に各種の情報やサービスを提供するサーバである。管理サーバ２００は、例えば、デスクトップパソコン、ワークステーションである。以下、図３を参照して、管理サーバ２００の構成について説明する。
【００２８】
図３に示すように、管理サーバ２００は、ＣＰＵ２１、ＲＯＭ２２、ＲＡＭ２３、ハードディスク２４、ＲＴＣ２５、第１通信インターフェース２７を備える。管理サーバ２００が備える各構成要素は、バスを介して相互に接続される。
【００２９】
ＣＰＵ２１は、管理サーバ２００の全体の動作を制御する。なお、ＣＰＵ２１は、ＲＯＭ２２に格納されているプログラムに従って動作し、ＲＡＭ２３をワークエリアとして使用する。ＲＯＭ２２には、管理サーバ２００の全体の動作を制御するためのプログラムやデータが記憶される。ＲＡＭ２３は、ＣＰＵ２１のワークエリアとして機能する。つまり、ＣＰＵ２１は、ＲＡＭ２３にプログラムやデータを一時的に書き込み、これらのプログラムやデータを適宜参照する。
【００３０】
ハードディスク２４は、各種の情報を記憶する不揮発性の記憶装置である。ＲＴＣ２５は、計時用のデバイスである。ＲＴＣ２５は、例えば、電池を内蔵し、管理サーバ２００の電源がオフの間も計時を継続する。ＲＴＣ２５は、例えば、水晶発振子を備える発振回路を備える。第１通信インターフェース２７は、管理サーバ２００を、通信ネットワーク６００に接続するためのインターフェースである。管理サーバ２００は、通信ネットワーク６００を介して通信ネットワーク６００に接続された処理装置１００と通信する。第１通信インターフェース２７は、例えば、ＬＡＮインターフェース（例えば、ＮＩＣ）を備える。
【００３１】
読取装置３００は、処理装置１００による制御に従って、第１の無線タグ４１１、４２１、４３１、４４１、４５１と、第２の無線タグ５１１、５２１と、からタグ情報を読み取る装置である。読取装置３００は、図示しない通信ケーブルを介して、処理装置１００が備える第２通信インターフェース１８と接続される。また、読取装置３００は、通信ケーブル３３０を介して、アンテナ３１０と接続される。
【００３２】
読取装置３００は、処理装置１００からタグ情報の読み取りを指示する情報を受信した場合、第１の無線タグ４１１、４２１、４３１、４４１、４５１と、第２の無線タグ５１１、５２１と、に電力を供給するための電波（以下、適宜「電力供給用電波」という。）に応じた電気信号をアンテナ３１０に送信する。読取装置３００は、電力供給用電波に応じた電気信号をアンテナ３１０に送信することにより、アンテナ３１０の近傍に近接場を生じさせる。そして、読取装置３００は、アンテナ３１０がタグ情報を含む電波（以下、適宜「タグ情報包含電波」という。）を受信した場合、タグ情報包含電波に応じた電気信号をアンテナ３１０から受信する。読取装置３００は、受信した電気信号により示されるタグ情報を処理装置１００に送信する。このように、読取装置３００は、アンテナ３１０の近傍に発生させた近接場を介して、タグ情報を読み取る。電力供給用電波及びタグ情報包含電波は、例えば、ＵＨＦ帯域の電波（例えば、周波数が約９２０ＭＨｚ、波長が約３０ｃｍの電波）である。
【００３３】
アンテナ３１０は、読取装置３００による制御に従って電力供給用電波を放射し、第１の無線タグ４１１、４２１、４３１、４４１、４５１と、第２の無線タグ５１１、５２１と、から受信したタグ情報包含電波に応じた電気信号を読取装置３００に供給する。具体的には、アンテナ３１０は、読取装置３００から受信した電気信号に応じた電力供給用電波を放射する。また、アンテナ３１０は、第１の無線タグ４１１、４２１、４３１、４４１、４５１と、第２の無線タグ５１１、５２１とが、電力供給用電波を受信したことに応答して放射したタグ情報包含電波を受信する。アンテナ３１０は、タグ情報包含電波に応じた電気信号を読取装置３００に送信する。
【００３４】
アンテナ３１０は、全ての通信対象（第１の無線タグ４１１、４２１、４３１、４４１、４５１、第２の無線タグ５１１、５２１）と通信可能なアンテナであることが好適である。また、アンテナ３１０は、通信性能が、通信対象（第１の無線タグ４１１、４２１、４３１、４４１、４５１、第２の無線タグ５１１、５２１）との距離に大きく依存するアンテナであることが好適である。具体的には、アンテナ３１０は、通信対象との距離が相対的に短い場合に通信対象と通信可能であり、通信対象との距離が相対的に長い場合に通信対象と通信不可能であることが好適である。アンテナ３１０は、例えば、シート状のアンテナであり、通信シートとも呼ばれる。アンテナ３１０は、アンテナ３１０の近傍における電波強度が非常に高く、一方、アンテナ３１０からの距離が離れた場所における電波強度が非常に低くなる。
【００３５】
本実施形態では、アンテナ３１０による受信強度（ＲＳＳＩ：Received Signal Strength Indicator）が閾値以上である場合に「電波を受信した」又は「電波を受信可能である」といい、受信強度が閾値未満である場合に「電波を受信しない」又は「電波を受信可能でない」という。また、本実施形態では、無線タグが後述する浸出領域３１６内にあるときにアンテナ３１０は電波を受信可能であり、無線タグが浸出領域３１６外にあるときにアンテナ３１０は電波を受信可能でないものとする。
【００３６】
図４と図５とを参照して、アンテナ３１０の構成について説明する。図４は、アンテナ３１０の平面図である。図５は、図４のＡ−Ａ線における断面図である。図４に示すように、アンテナ３１０は、厚み方向における一方側の表面に、メッシュ状の開孔が形成されたシート状導体３１１を有する。また、アンテナ３１０は、図５に示すように、厚み方向における他方側の表面に、シート状導体３１１に対向して配置されるシート状導体３１２を有し、２層のシート状導体、３１１、３１２の間に誘電体３１３を有する。なお、シート状導体３１１の上面には、水をこぼした場合等に備えて塩化ビニル等の保護シート３１４が貼り付けられている。同様に、シート状導体３１２の下面には、塩化ビニル等の保護シート３１５が貼り付けられている。
【００３７】
本実施形態では、開孔の形状は、正三角形である。このようなメッシュパターンを有するアンテナ３１０は、アンテナ３１０の近傍における電波強度が非常に高く、一方、アンテナ３１０からの距離が離れた場所における電波強度が非常に低くなる。このため、アンテナ３１０は、アンテナ感度が比較的低い通信相手と通信するのに好適である。つまり、アンテナ３１０は、ＲＦＩＤタグの読み取りに好適である。また、本実施形態では、アンテナ３１０は、幅方向における長さ（例えば、１０ｃｍ）よりも、長手方向における長さ（例えば、１００ｃｍ）の方が十分に長いものとする。
【００３８】
シート状導体３１１は、例えば、複数の第１の線状導体と、複数の第２の線状導体と、複数の第３の線状導体とが、相互に交差することにより、複数の正三角形の開孔が形成された層である。第１の線状導体と第２の線状導体と第３の線状導体とは、同一平面上に配置され、互いに６０度の角度で交差する。本実施形態では、正三角形の一辺の長さは、７ｍｍであるものとする。
【００３９】
シート状導体３１１及びシート状導体３１２は、それぞれ例えば厚さが約３２μｍのアルミのラミネートで構成される。誘電体３１３は、例えば厚さが約２ｍｍの発泡ポリオレフィンで構成される。なお、シート状導体３１１及びシート状導体３１２は、アルミのラミネートに限らず、銅、銀、ニッケル等の金属箔、めっき、蒸着、プリント等で構成されてもよい。また、誘電体３１３は、発泡ポリオレフィンに限らず、ポリエステル、ポリアミド、芳香族ポリアミド等で構成されてもよい。また、誘電体３１３を用いずに、シート状導体３１１、３１２間は空気であってもよい。
【００４０】
保護シート３１４は、絶縁体により構成された層である。保護シート３１４は、シート状導体３１１の表面が傷つけられたり、シート状導体３１１の表面が外部の導体と接触したりすることを抑制する機能を有する。保護シート３１５は、絶縁体により構成された層である。保護シート３１５は、シート状導体３１２の表面が傷つけられたり、シート状導体３１２の表面が外部の導体と接触したりすることを抑制する機能を有する。保護シート３１４や保護シート３１５は、例えば、ＰＥＴ（ポリエチレンテレフタレート）により構成される。
【００４１】
アンテナ３１０は、長手方向における一端にアンテナ３１０に電波（電気信号）を供給するための電波インターフェース３２０を有する。電波インターフェース３２０は、通信ケーブル３３０により読取装置３００と接続される。また、アンテナ３１０は、長手方向における他端に、電波を吸収するための電波吸収部３４０を有する。
【００４２】
電波インターフェース３２０は、導体層３２１と、導体層３２２と、絶縁体層３２３と、電極３２４と、電極３２５と、コネクタ３２６と、を備える。導体層３２１は、絶縁体層３２３の一方の表面に形成された層であり、導体により構成された層である。導体層３２２は、絶縁体層３２３の他方の表面に形成された層であり、導体により構成された層である。絶縁体層３２３は、導体層３２１と導体層３２２とに挟まれた層であり、絶縁体により構成された層である。
【００４３】
電極３２４は、導体層３２１と保護シート３１４とを跨ぐように配置された平板状の電極である。電極３２５は、導体層３２２と保護シート３１５とを跨ぐように配置された平板状の電極である。コネクタ３２６は、導体層３２１の一方の表面上に設けられ、通信ケーブル３３０が差し込まれるコネクタである。コネクタ３２６は、導体により構成される。
【００４４】
通信ケーブル３３０は、内部導体３３１と、絶縁体（図示せず）と、外部導体３３２と、保護皮膜（図示せず）と、を備える同軸ケーブルである。内部導体３３１は、信号電位が印加される導体であり、例えば、銅線により構成される。絶縁体（図示せず）は、内部導体３３１と外部導体３３２とを絶縁するための絶縁体であり、例えば、ポリエチレンにより構成される。外部導体３３２は、接地電位が印加される導体であり、例えば、網組み銅線により構成される。保護被覆（図示せず）は、通信ケーブル３３０の内部を保護するための絶縁体であり、例えば、ビニル樹脂により構成される。
【００４５】
通信ケーブル３３０は、コネクタ３２６に差し込まれる。そして、内部導体３３１は、導体層３２１と導体層３２２と絶縁体層３２３とにより構成される基板に設けられた貫通孔を通り、導体層３２２と接続される。一方、外部導体３３２は、コネクタ３２６と接続される。従って、内部導体３３１と導体層３２２と電極３２５とが電気的に接続され、外部導体３３２とコネクタ３２６と導体層３２１と電極３２４とが電気的に接続される。つまり、電極３２５には、信号電位が印加され、電極３２４には、接地電位が印加される。そして、電極３２５と電極３２４との間に供給された電波（電気信号）が、アンテナ３１０を伝搬する。
【００４６】
電波吸収部３４０は、供給された電波を吸収する。電波吸収部３４０は、アンテナ３１０を伝搬した電波がアンテナ３１０の他端で反射することを抑制する。電波吸収部３４０は、電波吸収体３４１と、導体板３４２と、を備える。電波吸収体３４１は、供給された電波を吸収して、熱エネルギーに変換する。導体板３４２は、断面の形状がコの字型の板状の導体である。
【００４７】
読取装置３００からアンテナ３１０に電気信号が供給されると、電気信号に応じた電波がアンテナ３１０の内部を伝達する。そして、アンテナ３１０の内部を伝達する電波がアンテナ３１０の表面から浸出することによって、近接場が生じる。より詳細に説明すると、読取装置３００からアンテナ３１０に供給された電気信号に応じた電波は、２層のシート状導体３１１、３１２の間の誘電体３１３内であって、コネクタ３２６から電波吸収部３４０までの間を伝達する。そして、誘電体３１３内を伝達する電波は、シート状導体３１１に形成されたメッシュ状の開孔から浸出することによって、シート状導体３１１のごく近傍の浸出領域３１６（図５において破線で示した領域）に漏れ出す（浸出する）。この浸出した電波（エバネッセント波）は、遠方へは伝搬されず、シート状導体３１１のごく近傍の浸出領域３１６内において近接場を形成する。
【００４８】
シート状導体３１１の表面から浸出する電波の量、すなわち浸出領域３１６の大きさは、主に、シート状導体３１１に形成されたメッシュの間隔と、誘電体３１３の比誘電率と、誘電体３１３の厚みと、によって決まる。なお、誘電体３１３内を伝達する電波は、アンテナ３１０のシート状導体３１２側の表面には開孔が形成されておらずシールドされているため、シート状導体３１２側からは浸出しない。
【００４９】
キャビネット４００は、物品５１０、５２０を収納する棚である。図６に示すように、キャビネット４００は、キャビネット本体４０１と、引き出し４１０、４２０、４３０、４４０、４５０と、を備える。
【００５０】
キャビネット本体４０１は、側部に開孔を有する箱型形状であり、引き出し４１０、４２０、４３０、４４０、４５０を収納する。図７に示すように、キャビネット本体４０１は、例えば、３つの側壁４０２と、天井板４０３と、床板４０４とを備える。
【００５１】
引き出し４１０、４２０、４３０、４４０、４５０は、キャビネット本体４０１に対して引き出し可能に設けられた引き出しである。引き出し４１０、４２０、４３０、４４０、４５０は、上部に開孔を有する箱型形状であり、物品５１０、５２０を収納する。引き出し４１０、４２０、４３０、４４０、４５０は、キャスター（図示せず）を備え、キャビネット本体４０１が備えるガイドレール（図示せず）上を予め定められた方向に移動可能である。図６に示すように、引き出し４１０は把手４１２を備え、引き出し４２０は把手（図示せず）を備え、引き出し４３０は把手４３２を備え、引き出し４４０は把手４４２を備え、引き出し４５０は把手４５２を備える。
【００５２】
第１の無線タグ４１１、４２１、４３１、４４１、４５１は、タグ情報を記憶し、電力供給用電波を受信すると、タグ情報を含むタグ情報包含電波を放射する。つまり、第１の無線タグ４１１、４２１、４３１、４４１、４５１は、パッシブタグであり、ＲＦＩＤ（Radio Frequency IDentification）タグである。第１の無線タグ４１１、４２１、４３１、４４１、４５１は、それぞれ、引き出し４１０、４２０、４３０、４４０、４５０に設置される。第１の無線タグ４１１、４２１、４３１、４４１、４５１が記憶するタグ情報は、第１の識別情報である。
【００５３】
第１の識別情報は、引き出し４１０、４２０、４３０、４４０、４５０を識別するための情報であり、例えば、数値やアルファベットにより構成される文字列を示す情報である。引き出し４１０に設置された第１の無線タグ４１１が記憶する第１の識別情報は、引き出し４１０を識別するための情報である。引き出し４２０に設置された第１の無線タグ４２１が記憶する第１の識別情報は、引き出し４２０を識別するための情報である。引き出し４３０に設置された第１の無線タグ４３１が記憶する第１の識別情報は、引き出し４３０を識別するための情報である。引き出し４４０に設置された第１の無線タグ４４１が記憶する第１の識別情報は、引き出し４４０を識別するための情報である。引き出し４５０に設置された第１の無線タグ４５１が記憶する第１の識別情報は、引き出し４５０を識別するための情報である。
【００５４】
物品５１０、５２０は、管理対象の物品であり、キャビネット４００（引き出し４１０、４２０、４３０、４４０、４５０）に収納される物品である。物品５１０、５２０は、キャビネット４００に収納されているか否か、並びに、引き出し４１０、４２０、４３０、４４０、４５０のいずれに収納されているのかが判別される対象となる物品である。物品５１０、５２０は、例えば、ファイルケースである。
【００５５】
第２の無線タグ５１１、５２１は、タグ情報を記憶し、電力供給用電波を受信すると、タグ情報を含むタグ情報包含電波を放射する。つまり、第２の無線タグ５１１、５２１は、パッシブタグであり、ＲＦＩＤタグである。第２の無線タグ５１１、５２１は、それぞれ、物品５１０、５２０に設置される。第２の無線タグ５１１、５２１が記憶するタグ情報は、第２の識別情報である。
【００５６】
第２の識別情報は、物品５１０、５２０を識別するための情報であり、例えば、数値やアルファベットにより構成される文字列を示す情報である。物品５１０に設置された第２の無線タグ５１１が記憶する第２の識別情報は、物品５１０を識別するための情報である。物品５２０に設置された第２の無線タグ５２１が記憶する第２の識別情報は、物品５２０を識別するための情報である。
【００５７】
通信ネットワーク６００は、宅外に構築されるネットワークであり、通信ネットワーク６００に接続された機器同士が相互に通信するためのネットワークである。通信ネットワーク６００は、例えば、ＷＡＮ（Wide Area Network）である。通信ネットワーク６００は、例えば、インターネットである。
【００５８】
次に、図７を参照して、アンテナ３１０の配置と、第１の無線タグ４１１、４２１、４３１、４４１、４５１の配置と、第２の無線タグ５１１、５２１の配置とについて説明する。図７は、キャビネット４００をＺ軸方向から見たときの側面図である。Ｘ軸方向は、引き出し４１０、４２０、４３０、４４０、４５０が引き出される方向（以下、適宜「前後方向」という。）である。Ｙ軸方向は、鉛直方向（以下、適宜「上下方向」という。）である。Ｚ軸は、Ｘ軸とＹ軸とに直交する方向（以下、適宜「左右方向」という。）である。
【００５９】
まず、図７に示すように、引き出し４１０、４２０、４３０、４４０、４５０は、３つの側壁４０２と天井板４０３と床板４０４とにより囲まれた空間に上から順に収納される。なお、理解を容易にするため、図７では、３つの側壁４０２のうち真ん中の側壁４０２のみを示し、両サイドの２つの側壁４０２を示していない。真ん中の側壁４０２は、前後方向と直交する壁面を有する側壁である。両サイドの２つの側壁４０２は、左右方向と直交する壁面を有する側壁である。
【００６０】
ここで、真ん中の側壁４０２が有する２つの壁面のうち引き出し４１０、４２０、４３０、４４０、４５０寄りの壁面（キャビネット４００の内側の壁面であり、Ｘ軸の座標が大きい方の壁面）には、引き出し４１０、４２０、４３０、４４０、４５０がある方向に電波が放射されるようにアンテナ３１０が設置される。なお、アンテナ３１０は、例えば、両面テープにより、真ん中の側壁４０２に固定される。かかる構成によれば、キャビネット４００の内部の領域のうちアンテナ３１０の近傍の領域が浸出領域３１６となる。
【００６１】
浸出領域３１６は、第１の無線タグ４１１、４２１、４３１、４４１、４５１のうち、自身が設置された引き出しが収納状態であるものを内部に含み、第１の無線タグ４１１、４２１、４３１、４４１、４５１のうち、自身が設置された引き出しが非収納状態であるものを内部に含まないように調整される。図６に示す例では、引き出し４１０が非収納状態であり、引き出し４２０、４３０、４４０、４５０が収納状態である。従って、第１の無線タグ４１１を内部に含まず、第１の無線タグ４２１、４３１、４４１、４５１を内部に含むように、浸出領域３１６が調整される。
【００６２】
また、浸出領域３１６は、第２の無線タグ５１１、５２１のうち、自身が設置された物品を収納する引き出しが収納状態であるものを内部に含み、第２の無線タグ５１１、５２１のうち、自身が設置された物品が引出に収納されないものや自身が設置された物品を収納する引き出しが非収納状態であるものを内部に含まないように調整される。図７に示す例では、第２の無線タグ５１１が設置された物品５１０を収納する引き出し４１０が非収納状態であり、第２の無線タグ５２１が設置された物品５２０を収納する引き出し４２０が収納状態である。従って、第２の無線タグ５１１を内部に含まず、第２の無線タグ５２１を内部に含むように、浸出領域３１６が調整される。なお、浸出領域３１６の大きさ、つまり、浸出領域３１６のＸ軸方向における長さは、電波の強度やアンテナ３１０の材質などにより調整される。
【００６３】
上述したように、物品５１０には第２の無線タグ５１１が設置され、物品５２０には第２の無線タグ５２１が設置される。第２の無線タグ５１１は、物品５１０のどの部分に設置してもよいが、なるべく物品５１０の端部に設置されることが望ましい。また、物品５１０は、第２の無線タグ５１１が設置された部分がなるべく引き出し４１０の奥側になるように（第２の無線タグ５１１が設置された部分のＸ軸方向における座標がなるべく小さくなるように）引き出し４１０に収納されることが好適である。
【００６４】
例えば、物品５１０の形状が直方体であり、物品５１０の厚さ方向がＹ軸方向となり、物品５１０の長手方向がＸ軸方向となるように、物品５１０が引き出し４１０に収納されるものとする。この場合、物品５１０が有する６つの面のうち、物品５１０の長手方向と直交する２つの面のいずれか一方の面、又は、この面の近傍に、無線タグ５１１が設置されることが好適である。この場合、無線タグ５２１が設置された面（又は、上記２つの面のうち無線タグ５１１に近い方の面）がアンテナ３１０に近づくように、物品５１０が引き出し４１０に収納されることが好適である。
【００６５】
同様に、第２の無線タグ５２１は、なるべく物品５２０の端部に設置されることが望ましい。また、物品５２０は、第２の無線タグ５２１が設置された部分がなるべく引き出し４２０の奥側になるように（第２の無線タグ５２１が設置された部分のＸ軸方向における座標がなるべく小さくなるように）引き出し４２０に収納されることが好適である。かかる構成によれば、浸出領域３１６の大きさを小さくすることができ、引き出し４１０、４２０、４３０、４４０、４５０の状態の判別精度や、物品５１０、５２０の状態の判別精度の向上が期待できる。
【００６６】
次に、図８を参照して、状態判別システム１０００の基本的な機能について説明する。状態判別システム１０００は、機能的には、第１の発信部１０１と、第２の発信部１０２と、受信部１０３と、判別部１０４と、制御部１０５と、記憶部１０６と、受付部１０７と、出力部１０８と、を備える。
【００６７】
第１の発信部１０１は、キャビネット本体４０１に対して引き出し可能に設けられた引き出し４１０、４２０、４３０、４４０、４５０に設置され、引き出し４１０、４２０、４３０、４４０、４５０を識別するための第１の識別情報を含む第１の電波を発信する。第１の発信部１０１の機能は、例えば、第１の無線タグ４１１、４２１、４３１、４４１、４５１の機能により実現される。
【００６８】
第２の発信部１０２は、物品５１０、５２０に設置され、物品５１０、５２０を識別するための第２の識別情報を含む第２の電波を発信する。第２の発信部１０２の機能は、例えば、第２の無線タグ５１１、５２１の機能により実現される。
【００６９】
受信部１０３は、第１の発信部１０１から発信された第１の電波と、第２の発信部１０２から発信された第２の電波とを受信する。受信部１０３は、キャビネット本体４０１に設置される。受信部１０３は、第１の発信部１０１が設置された引き出しが収納状態であるときに第１の電波を受信し、第１の発信部１０１が設置された引き出しが非収納状態であるときに第１の電波を受信しないように設置される。また、受信部１０３は、第２の発信部１０２が設置された物品を収納する引き出しが収納状態であるときに第２の電波を受信し、第２の発信部１０２が設置された物品を収納する引き出しが非収納状態であるとき、又は、第２の発信部１０２が設置された物品が引き出しに収納されていないときに第２の電波を受信しないように設置される。受信部１０３の機能は、例えば、アンテナ３１０の機能により実現される。
【００７０】
判別部１０４は、受信部１０３により第１の電波が受信された場合、引き出しが収納状態であると判別し、受信部１０３により第１の電波が受信されない場合、引き出しが非収納状態であると判別する。また、判別部１０４は、受信部１０３により第２の電波が受信された場合、物品がキャビネット４００に収納された状態であると判別し、受信部１０３により第２の電波が受信されない場合、物品がキャビネット４００に収納されていない状態であると判別する。判別部１０４の機能は、例えば、ＣＰＵ１１の機能により実現される。
【００７１】
制御部１０５は、判別部１０４による判別結果や受付部１０７から受信した操作情報に基づいて、記憶部１０６に記憶された各種の情報を更新したり、出力部１０８による出力を制御したりする。制御部１０５の機能は、例えば、ＣＰＵ１１の機能により実現される。
【００７２】
記憶部１０６は、各種の情報を記憶する。記憶部１０６は、例えば、後述する、引き出し管理情報、物品管理情報、対応関係情報を記憶する。記憶部１０６の機能は、例えば、ハードディスク２４の機能により実現される。
【００７３】
受付部１０７は、ユーザから各種の情報を受け付ける。例えば、受付部１０７は、物品の所在の問い合わせを受け付ける。受付部１０７の機能は、例えば、タッチスクリーン１６の機能により実現される。
【００７４】
出力部１０８は、制御部１０５による制御に従って、各種の情報を出力する。例えば、出力部１０８は、判別部１０４による判別結果を出力したり、物品の所在を示す情報を出力したりする。出力部１０８の機能は、例えば、第１通信インターフェース１７の機能により実現され、又は、タッチスクリーン１６の機能により実現される。
【００７５】
次に、図９を参照して、処理装置１００が実行する物品管理処理について説明する。物品管理処理は、例えば、処理装置１００の電源が投入されたことに応答して実行される。
【００７６】
まず、ＣＰＵ１１は、現在時刻を取得する（ステップＳ１０１）。例えば、ＣＰＵ１１は、ＲＴＣ１５から供給された時刻情報に基づいて現在時刻を取得することができる。ＣＰＵ１１は、ステップＳ１０１の処理を完了すると、現在時刻が読み取り時刻であるか否かを判別する（ステップＳ１０２）。読み取り時刻は、例えば、予め定められた周期（例えば、１秒）毎に到来する時刻である。ＣＰＵ１１は、現在時刻が読み取り時刻でないと判別すると（ステップＳ１０２：ＮＯ）、ステップＳ１０１に処理を戻す。
【００７７】
一方、ＣＰＵ１１は、現在時刻が読み取り時刻であると判別すると（ステップＳ１０２：ＹＥＳ）、タグ情報を読み取る（ステップＳ１０３）。例えば、ＣＰＵ１１は、第２通信インターフェース１８を介して、アンテナ３１０から電力供給用電波を発信させるように読取装置３００を制御する。そして、ＣＰＵ１１は、アンテナ３１０により受信されたタグ情報包含電波に含まれるタグ情報を、第２通信インターフェース１８を介して、読取装置３００から取得する。このタグ情報は、第１の識別情報や第２の識別情報である。
【００７８】
ＣＰＵ１１は、ステップＳ１０３の処理を完了すると、状態が変化した引き出しがあるか否かを判別する（ステップＳ１０４）。例えば、ＣＰＵ１１は、ステップＳ１０３で読み取ったタグ情報とハードディスク２４に記憶された引き出し管理情報とに基づいて、状態が変化した引き出しがあるか否かを判別する。
【００７９】
ここで、図９を参照して、引き出し管理情報について説明する。引き出し管理情報は、引き出しを管理するための情報である。引き出し管理情報は、例えば、第１の識別情報と、最新の状態と、状態変化時刻とを対応付ける情報である。第１の識別情報は、引き出し４１０、４２０、４３０、４４０、４５０の何れであるのかを識別するための情報である。ここでは、引き出し４１０、４２０、４３０、４４０、４５０は、それぞれ、Ａ１、Ａ２、Ａ３、Ａ４、Ａ５という第１の識別情報により識別されるものとする。最新の状態は、引き出しの最新の状態であり、非収納状態と収納状態とのうちのいずれかである。状態変化時刻は、最新の状態に変化したことが最初に検知された時刻である。
【００８０】
図１０には、引き出し４１０がｔ１１に収納状態から非収納状態に変化した後非収納状態を維持し、引き出し４２０がｔ１２に非収納状態から収納状態に変化した後収納状態を維持し、引き出し４３０がｔ１３に非収納状態から収納状態に変化した後収納状態を維持し、引き出し４４０がｔ１４に非収納状態から収納状態に変化した後収納状態を維持し、引き出し４５０がｔ１５に非収納状態から収納状態に変化した後収納状態を維持したことが示されている。
【００８１】
ＣＰＵ１１は、引き出し管理情報により示される現在の状態とステップＳ１０３で読み取られたタグ情報から求められる最新の状態とが異なる引き出しがあるか否かを判別する。例えば、ステップＳ１０３において、第１の識別情報としてＡ１が読み取られた場合、引き出し４１０の状態が変化したと判別する。一方、例えば、ステップＳ１０３において、第１の識別情報としてＡ１が読み取られなかった場合、引き出し４１０の状態が変化していないと判別する。ＣＰＵ１１は、同様に、引き出し４２０、４３０、４４０、４５０についても、状態が変化したか否かを判別する。ＣＰＵ１１は、状態が変化した引き出しがあると判別した場合（ステップＳ１０４：ＹＥＳ）、引き出し管理情報を更新する（ステップＳ１０５）。
【００８２】
例えば、ステップＳ１０１で取得された現在時刻がｔ１６であり、ステップＳ１０３において、第１の識別情報としてＡ１が読み取られたものとする。この場合、ＣＰＵ１１は、第１の識別情報がＡ１であるレコードを、最新の状態として収納状態を含み、状態変化時刻としてｔ１６を含むように更新する。また、ステップＳ１０１で取得された現在時刻がｔ１６であり、ステップＳ１０３において、第１の識別情報としてＡ２が読み取られなかったものとする。この場合、ＣＰＵ１１は、第１の識別情報がＡ２であるレコードを更新しない。
【００８３】
ＣＰＵ１１は、状態が変化した引き出しがないと判別した場合（ステップＳ１０４：ＮＯ）、又は、ステップＳ１０５の処理を完了した場合、状態が変化した物品があるか否かを判別する（ステップＳ１０６）。例えば、ＣＰＵ１１は、ステップＳ１０３で読み取ったタグ情報とハードディスク２４に記憶された物品管理情報とに基づいて、状態が変化した物品があるか否かを判別する。
【００８４】
ここで、図１１を参照して、物品管理情報について説明する。物品管理情報は、物品を管理するための情報である。物品管理情報は、例えば、第２の識別情報と、最新の状態と、状態変化時刻とを対応付ける情報である。第２の識別情報は、物品５１０、５２０の何れであるのかを識別するための情報である。ここでは、物品５１０、物品５２０、図示しない物品は、それぞれ、Ｂ１、Ｂ２、Ｂ３という第２の識別情報により識別されるものとする。最新の状態は、物品の最新の状態であり、収納状態と非収納状態とのうちのいずれかである。収納状態は、キャビネット４００に収納された状態である。非収納状態は、キャビネット４００に収納されていない状態である。状態変化時刻は、最新の状態に変化したことが最初に検知された時刻である。
【００８５】
図１１には、物品５１０がｔ１１に収納状態から非収納状態に変化した後非収納状態を維持し、物品５２０がｔ１２に非収納状態から収納状態に変化した後収納状態を維持し、図示しない物品がｔ２３に収納状態から非収納状態に変化した後非収納状態を維持したことが示されている。
【００８６】
ＣＰＵ１１は、物品管理情報により示される最新の状態とステップＳ１０３で読み取られたタグ情報から求められる現在の状態とが異なる物品があるか否かを判別する。例えば、ステップＳ１０３において、第２の識別情報としてＢ１が読み取られた場合、物品５１０の状態が変化したと判別する。一方、例えば、ステップＳ１０３において、第２の識別情報としてＢ１が読み取られなかった場合、物品５１０の状態が変化していないと判別する。ＣＰＵ１１は、同様に、物品５２０と図示しない物品（Ｂ３で示される物品）とについても、状態が変化したか否かを判別する。ＣＰＵ１１は、状態が変化した物品があると判別した場合（ステップＳ１０６：ＹＥＳ）、物品管理情報を更新する（ステップＳ１０７）。
【００８７】
例えば、ステップＳ１０１で取得された現在時刻がｔ１６であり、ステップＳ１０３において、第２の識別情報としてＢ１が読み取られたものとする。この場合、ＣＰＵ１１は、第２の識別情報がＢ１であるレコードを、最新の状態として収納状態を含み、状態変化時刻としてｔ１６を含むように更新する。また、ステップＳ１０１で取得された現在時刻がｔ１６であり、ステップＳ１０３において、第２の識別情報としてＢ２が読み取られなかったものとする。この場合、ＣＰＵ１１は、第２の識別情報がＢ２であるレコードを更新しない。
【００８８】
ＣＰＵ１１は、収納状態が変化した物品がないと判別した場合（ステップＳ１０６：ＮＯ）、又は、ステップＳ１０７の処理を完了した場合、同時に状態が変化した組み合わせがあるか否かを判別する（ステップＳ１０８）。例えば、ＣＰＵ１１は、引き出し管理情報と物品管理情報とに基づいて、同時に状態が変化した組み合わせがあるか否かを判別する。
【００８９】
まず、ＣＰＵ１１は、最近、収納状態が変化した引き出しがあるか否かを判別する。例えば、ＣＰＵ１１は、引き出し管理情報に、現在時刻との差が第１の時間閾値以内である状態変化時刻を含むレコードが含まれているか否かを判別する。第１の時間閾値は、引き出しの収納状態と物品の収納状態とが同時に変化したとみなすための閾値である。第１の時間閾値は、例えば、引き出しの状態が完全に変化するのに要する程度の時間に設定されることが好適である。第１の時間閾値は、例えば、１〜３秒である。ここで、ステップＳ１０１で取得された現在時刻がｔ１６であり、ｔ１１とｔ１６との時刻差が第１の時間閾値以下であるものとする。この場合、ＣＰＵ１１は、引き出し４１０は、最近、状態が変化したと見做す。
【００９０】
また、ＣＰＵ１１は、最近、状態が変化した物品があるか否かを判別する。例えば、ＣＰＵ１１は、物品管理情報に、現在時刻との差が第１の時間閾値以内である状態変化時刻を含むレコードが含まれているか否かを判別する。ここで、ステップＳ１０１で取得された現在時刻がｔ１６であり、ｔ１１とｔ１６との時刻差が第１の時間閾値以下であるものとする。この場合、ＣＰＵ１１は、物品５１０は、最近、状態が変化したと見做す。
【００９１】
そして、ＣＰＵ１１は、引き出し４１０の状態の変化の仕方が、物品５１０の状態の変化の仕方と対応するか否かを判別する。ここで、引き出し４１０は、収納状態から非収納状態に変化し、物品５１０は、収納状態から非収納状態に変化している。従って、ＣＰＵ１１は、引き出し４１０と物品５１０とは、状態の変化の仕方が対応していると判別する。つまり、ＣＰＵ１１は、物品５１０が引き出し４１０に収納された状態で、引き出し４１０が非収納状態に変化したと判別する。この場合、ＣＰＵ１１は、同時に変化した組み合わせがあると判別する。
【００９２】
ＣＰＵ１１は、同時に変化した組み合わせがあると判別すると（ステップＳ１０８：ＹＥＳ）、組み合わせが変更されたか否かを判別する（ステップＳ１０９）。ＣＰＵ１１は、例えば、ステップＳ１０８で特定された組み合わせが、ハードディスク２４に記憶された対応関係情報により示される組み合わせと矛盾する組み合わせがあるか否かを判別する。
【００９３】
ここで、図１２を参照して、対応関係情報について説明する。対応関係情報は、引き出しと物品との対応関係を示す情報である。対応関係情報は、例えば、第２の識別情報と、第１の識別情報と、を対応付ける情報である。対応関係情報により示されるレコードは、同時に状態が変化した、引き出しと物品との組み合わせを示す。図１１には、物品５１０と最後に同時に状態が変化した引き出しが引き出し４１０であることを示し、物品５２０と最後に同時に状態が変化した引き出しが引き出し４２０であることを示し、図示しない物品（Ｂ３により示される物品）と最後に同時に状態が変化した引き出しが引き出し４１０であることを示している。
【００９４】
ステップＳ１０８で特定された組み合わせは、物品５１０と引き出し４１０との組み合わせである。一方、対応関係情報は、物品５１０と最後に同時に状態が変化した引き出しが引き出し４１０であることを示している。従って、この場合、ＣＰＵ１１は、組み合わせが変更されていないと判別する。これに対し、仮に、ステップＳ１０８で特定された組み合わせが、物品５１０と引き出し４２０との組み合わせであった場合、ＣＰＵ１１は、組み合わせが変更されたと判別する。
【００９５】
ＣＰＵ１１は、組み合わせが変更されたと判別すると（ステップＳ１０９：ＹＥＳ）、組み合わせが変更された旨を報知する（ステップＳ１１０）。例えば、ＣＰＵ１１は、タッチスクリーン１６に、組み合わせが変更された旨、変更前の組み合わせ、変更後の組み合わせなどを表示する。ＣＰＵ１１は、組み合わせが変更されていないと判別した場合（ステップＳ１０９：ＮＯ）、又は、ステップＳ１１０の処理を完了した場合、対応関係情報を更新する（ステップＳ１１１）。
【００９６】
ＣＰＵ１１は、ステップＳ１１１の処理を完了すると、閉じ忘れた引き出しがあるか否かを判別する（ステップＳ１１２）。例えば、ＣＰＵ１１は、引き出し管理情報に、最新の状態が引き出し状態であり、状態変化時刻が現在時刻との時刻差が第２の時間閾値以上であるレコードがあるか否かを判別する。第２の時間閾値は、引き出しが閉じ忘れたか否かを判別するための閾値である。第２の時間閾値は、例えば、１０分である。ＣＰＵ１１は、このようなレコードがあると判別した場合、閉じ忘れた引き出しがあると判別する。一方、ＣＰＵ１１は、このようなレコードがないと判別した場合、閉じ忘れた引き出しがないと判別する。
【００９７】
ＣＰＵ１１は、閉じ忘れた引き出しがあると判別すると（ステップＳ１１２：ＹＥＳ）、閉じ忘れた引き出しがある旨を報知する（ステップＳ１１３）。例えば、ＣＰＵ１１は、タッチスクリーン１６に、閉じ忘れた引き出しがある旨、閉じ忘れた引き出しを示す情報などを表示する。ＣＰＵ１１は、閉じ忘れた引き出しがないと判別した場合（ステップＳ１１２：ＮＯ）、又は、ステップＳ１１３の処理を完了した場合、返却し忘れた物品があるか否かを判別する（ステップＳ１１４）。
【００９８】
例えば、ＣＰＵ１１は、物品管理情報に、最新の状態が非収納状態であり、状態変化時刻が現在時刻との時刻差が第３の時間閾値以上であるレコードがあるか否かを判別する。第３の時間閾値は、物品を返却し忘れたか否かを判別するための閾値である。第３の時間閾値は、例えば、１日である。ＣＰＵ１１は、このようなレコードがあると判別した場合、返却し忘れた物品があると判別する。一方、ＣＰＵ１１は、このようなレコードがないと判別した場合、返却し忘れた物品がないと判別する。
【００９９】
ＣＰＵ１１は、返却し忘れた物品があると判別すると（ステップＳ１１４：ＹＥＳ）、返却し忘れた物品がある旨を報知する（ステップＳ１１５）。例えば、ＣＰＵ１１は、タッチスクリーン１６に、返却し忘れた物品がある旨、返却し忘れた物品を示す情報などを表示する。ＣＰＵ１１は、返却し忘れた物品がないと判別した場合（ステップＳ１１４：ＮＯ）、又は、ステップＳ１１５の処理を完了した場合、物品の所在確認要求があるか否かを判別する（ステップＳ１１６）。
【０１００】
例えば、ＣＰＵ１１は、タッチスクリーン１６から供給される信号を監視して、物品の所在確認要求があるか否かを判別する。ＣＰＵ１１は、物品の所在確認要求があると判別した場合（ステップＳ１１６：ＹＥＳ）、物品の所在を報知する（ステップＳ１１７）。例えば、ＣＰＵ１１は、物品管理情報と対応関係情報とに基づいて、所在確認要求の対象となった物品の所在を特定する。そして、ＣＰＵ１１は、特定した物品の所在を示す情報を、タッチスクリーン１６に表示させる。ＣＰＵ１１は、物品の所在確認要求がないと判別した場合（ステップＳ１１６：ＮＯ）、又は、ステップＳ１１７の処理を完了した場合、ステップＳ１０１に処理を戻す。
【０１０１】
本実施形態では、引き出しに設置された無線タグが発信するタグ情報の読み取りの可否により、引き出しの状態が判別される。本実施形態によれば、引き出しの状態を自動で判別することができる。また、本実施形態では、引き出しの状態と物品の状態とが同時に変化したときに、引き出しと物品との対応関係を示す情報が記憶される。このため、本実施形態によれば、引き出しと物品との対応関係を自動で判別することができる。
【０１０２】
また、本実施形態では、タグ情報の読み取りに、帯状であるアンテナ３１０が採用されている。ここで、アンテナ３１０は、タグ情報の読み取りの可否が無線タグとアンテナ３１０との距離に大きく依存する。従って、本実施形態では、引き出しや物品の状態の判別精度が高い。また、アンテナ３１０は、タグ情報の読み取り可能領域が広い。従って、本実施形態では、アンテナの個数が少なくて済む（例えば、電波の弱い小さなアンテナを引き出し毎に用意する必要がない。）。また、アンテナ３１０は、薄い。従って、本実施形態では、設置場所の利便性が高く、省スペース化が可能である。
【０１０３】
また、本実施形態では、引き出し毎にアンテナを設けることなく、どの物品がどの引き出しに収納されているのかを自動で判別することができる。一方、特許文献１に開示された発明では、引き出し毎にアンテナを設けなければ、どの引き出しにどの物品が格納されているのかを特定することができない。
【０１０４】
（変形例１）
本発明において、引き出し及び物品の状態を精度良く判別するために、導体板４０７を備えたキャビネット４６０が採用されてもよい。図１３（Ａ）に示すように、導体板４０７は、例えば、回転軸４０５を中心に回転する回転部材４０６に固定され、回転部材４０６とともに回転軸４０５を中心にして回転する。回転軸４０５は、例えば、天井板４０３の内側に固定される。
【０１０５】
図１３（Ａ）に示すように、引き出し４１０が収納状態であるときは、導体板４０７は、引き出し４１０に押し上げられる。この場合、導体板４０７は、アンテナ３１０が発信又は受信する電波を遮断しない。その結果、アンテナ３１０は、第１の電波と第２の電波とを受信しやすい。一方、図１３（Ｂ）に示すように、引き出し４１０が非収納状態であるときは、導体板４０７は、重力により、アンテナ３１０と引き出し４１０との間の空間を塞ぐ。この場合、導体板４０７は、アンテナ３１０が発信又は受信する電波を遮断する。その結果、アンテナ３１０は、第１の電波と第２の電波とを受信しにくくなる。
【０１０６】
変形例１では、引き出し４１０が収納状態であるときに電波が遮断されず、引き出し４１０が非収納状態であるときに電波が遮断される。従って、変形例１によれば、引き出し４１０及び物品５１０の状態の判別精度の向上が期待できる。  
【０１０７】
（変形例２）
実施形態１では、常時、タグ情報の読み取りが実行される例について説明した。本発明において、施錠状態にあるときにタグ情報の読み取りが実行されず、解錠状態にあるときにタグ情報の読み取りが実行されてもよい。この場合、例えば、施錠機構４１４を備えるキャビネット４７０が採用される。図１４（Ａ）に示すように、施錠部材４１７は、例えば、回転軸４１５を中心に回転する回転部材４１６に固定され、回転部材４１６とともに回転軸４１５を中心にして回転する。回転軸４１５は、例えば、天井板４０３の一端に固定される。施錠機構４１４は、引き出し４１０を収納状態に維持する施錠状態と、引き出し４１０を収納状態に維持しない解錠状態とを有する。
【０１０８】
施錠機構４１４の状態は、図示しない鍵により変更される。図１４（Ａ）は、施錠状態にあるキャビネット４７０を示し、図１４（Ｂ）は、解錠状態にあるキャビネット４７０を示す。変形例２では、キャビネット４７０が施錠状態であるときには、引き出し４１０及び物品５１０の状態が変化しないため、引き出し４１０及び物品５１０の状態を判別する処理が実行されない。なお、引き出し４２０、４３０、４４０、４５０も、引き出し４１０と同様に、施錠機構４１４により施錠状態又は解錠状態に設定される。なお、施錠機構４１４は、キャビネット４００に対して１個設けられ、引き出し４１０、４２０、４３０、４４０、４５０の状態が連動して設定されてもよい。或いは、施錠機構４１４は、引き出し毎に設けられ、引き出し毎に状態が設定されてもよい。
【０１０９】
変形例２では、引き出し４１０及び物品５１０の状態が解錠状態であるときのみ、引き出し４１０及び物品５１０の状態を判別する処理が実行される。従って、変形例２によれば、消費電力や処理負荷の低減が期待できる。
【０１１０】
（他の変形例）
以上、本発明の実施形態を説明したが、本発明を実施するにあたっては、種々の形態による変形及び応用が可能である。
【０１１１】
本発明において、上記実施形態において説明した構成、機能、動作のどの部分を採用するのかは任意である。また、本発明において、上述した構成、機能、動作のほか、更なる構成、機能、動作が採用されてもよい。また、上述した実施形態は、適宜、自由に組み合わせることができる。また、本発明において採用可能な素材、サイズ、電気的特性などが、上記実施形態において示したものに限定されないことは勿論である。
【０１１２】
例えば、上記実施形態では、管理サーバ２００が、引き出し情報、物品管理情報、対応関係情報を記憶し、処理装置１００が、これらの情報を更新する例について説明した。ホン発明において、引き出し情報、物品管理情報、対応関係情報は、例えば、処理装置１００が記憶してもよい。
【０１１３】
上記実施形態では言及していないが、キャビネット４００は、木やプラスチックなどの絶縁体により構成されてもよいし、純金属、合金、炭素繊維複合材料などの導体により構成されてもよい。キャビネット４００が導体により構成される場合、アンテナ３１０は、キャビネット本体４０１の側壁（３つの側壁のうち中央の側壁）の内側の面に取り付けられることが好適である。また、引き出し４１０、４２０、４３０、４４０、４５０の側壁には、電波を通過させるための貫通孔などを設けることが好適である。なお、上記貫通孔が設けられた箇所にアクリル板などを設けてもよいし、上記引き出しの側壁をアクリル板により構成してもよい。
【０１１４】
上記実施形態では、記憶領域の節約のため、物品や引き出しの最新の状態と状態変化時刻とが記憶される例について説明した。本発明において、物品や引き出しの状態が取得される度に、物品や引き出しの状態の履歴が記憶されてもよい。この場合、物品や引き出しの状態の履歴が参照されて、物品と引き出しとの組み合わせが変更されたか？、閉じ忘れた引き出しがあるか？、返却し忘れた物品があるか？、物品の所在はどこか？などが判別される。このように、本発明において、記憶される情報、記憶された情報に基づく判別方法は、上記実施形態で示したものに限定されず、適宜、調整することが可能である。
【０１１５】
上記実施形態では、キャビネット本体４０１に設置されるアンテナ３１０の個数が１個である例について説明した。本発明において、キャビネット本体４０１に設置されるアンテナ３１０の個数が２個以上であってもよい。この場合、例えば、２個以上のアンテナ３１０が、左右方向に並んで設置されることが好適である。
【０１１６】
上記実施形態では、キャビネット４００の個数が１個である例について説明した。本発明において、キャビネット４００の個数が２個以上であってもよい。この場合、例えば、第１の識別情報に、引き出しを識別するための情報と、キャビネット４００を識別するための情報とが含まれることが好適である。
【０１１７】
変形例１では、キャビネット本体４０１に、平板状である導体板４０７が設けられる例について説明した。本発明において、引き出しが収納状態であるときに電波が遮断されず、引き出しが非収納状態であるときに電波が遮断される構成であれば、導体板の配置や形状はどのようなものであってもよい。例えば、引き出し４１０に、引き出し４１０の状態に応じて可動する導体板４０７が設けられてもよい。
【０１１８】
実施形態では、処理装置１００や管理サーバ２００が有する機能を多くがソフトウェア（又は、ファームウェア）により実現される例、つまり、処理装置１００や管理サーバ２００が有する機能を多くがプロセッサによるプログラムの実行により実現されるについて説明した。本発明において、このような機能は、ハードウェアにより実現されてもよい。この場合、例えば、処理装置１００や管理サーバ２００は、ＣＰＵ１１やＣＰＵ２１に代えて、処理回路を備える。この処理回路は、例えば、単一回路、複合回路、プログラム化したプロセッサ、並列プログラム化したプロセッサ、ＡＳＩＣ（Application Specific Integrated Circuit）、ＦＰＧＡ（Field Programmable Gate Array）、又はこれらの組合せにより構成される。
【０１１９】
本発明に係る処理装置１００や管理サーバ２００の動作を規定する動作プログラムを既存のパーソナルコンピュータや情報端末装置に適用することで、当該パーソナルコンピュータを本発明に係る処理装置１００や管理サーバ２００として機能させることも可能である。また、このようなプログラムの配布方法は任意であり、例えば、ＣＤ−ＲＯＭ（Compact Disk Read-Only Memory）、ＤＶＤ（Digital Versatile Disk）、メモリカードなどのコンピュータ読み取り可能な記録媒体に格納して配布してもよいし、通信ネットワーク（例えば、インターネット）を介して配布してもよい。
【符号の説明】
【０１２０】
１１，２１  ＣＰＵ、１２，２２  ＲＯＭ、１３，２３  ＲＡＭ、１４  フラッシュメモリ、１５，２５  ＲＴＣ、１６  タッチスクリーン、１７，２７  第１通信インターフェース、１８  第２通信インターフェース、２４  ハードディスク、１００  処理装置、１０１  第１の発信部、１０２  第２の発信部、１０３  受信部、１０４  判別部、１０５  制御部、１０６  記憶部、１０７  受付部、１０８  出力部、２００  管理サーバ、３００  読取装置、３１０  アンテナ、３１１，３１２  シート状導体、３１３  誘電体、３１４，３１５  保護シート、３１６  浸出領域、３２０  電波インターフェース、３２１，３２２  導体層、３２３  絶縁体層、３２４，３２５  電極、３２６  コネクタ、３３０  通信ケーブル、３３１  内部導体、３３２  外部導体、３４０  電波吸収部、３４１  電波吸収体、３４２，４０７  導体板、４００，４６０，４７０  キャビネット、４０１  キャビネット本体、４１０，４２０，４３０，４４０，４５０  引き出し、４０２  側壁、４０３  天井板、４０４  床板、４０５，４１５  回転軸、４０６，４１６  回転部材、４１１，４２１，４３１，４４１，４５１  第１の無線タグ、４１２，４３２，４４２，４５２  把手、４１４  施錠機構、４１７  施錠部材、５１０，５２０  物品、５１１，５２１  第２の無線タグ、６００  通信ネットワーク、１０００  状態判別システム。
【図１】
2018043838.tif 000003
【図２】
2018043838.tif 000004
【図３】
2018043838.tif 000005
【図４】
2018043838.tif 000006
【図５】
2018043838.tif 000007
【図６】
2018043838.tif 000008
【図７】
2018043838.tif 000009
【図８】
2018043838.tif 000010
【図９】
2018043838.tif 000011
【図１０】
2018043838.tif 000012
【図１１】
2018043838.tif 000013
【図１２】
2018043838.tif 000014
【図１３】
2018043838.tif 000015
【図１４】
2018043838.tif 000016